(57)【要約】【課題】口腔気道を適切に開く舌の持上げ推進具（tongue anteriorizer）及びその操作方法を提供する。【解決手段】  本発明による舌の持上げ推進具は、ハンドル１０と、舌のリフティング部（tongue lifting part）３０と、を含む。ハンドル１０は、ハンドル端部１１１を有する本体部１１を含む。舌のリフティング部３０は、ハンドル端部１１１から形成された第１端部（３１１）、及び第２端部３１２を有する湾曲部３１を含む。これにより、舌の持上げ推進具は、舌を前方に移動させ、咽喉頭領域を開かせて、気管挿管を簡単、安全かつ効率的にするように設けられる。【選択図】図４Ａ
2018518305.tif 000002
【特許請求の範囲】
【請求項１】
ハンドルと、舌のリフティング部と、を備える舌の持上げ推進具であって、
前記ハンドルは、ハンドル端部を有する本体部を含み、
前記舌のリフティング部は、前記ハンドル端部から形成された第１端部、及び第２端部を有する湾曲部を含み、
前記舌のリフティング部は、均一な厚さを有する板状ストリップで形成されており、
対辺（Ｘ）は、前記湾曲部の前記第１端部と前記第２端部とを接続することによって定義され、
本体部は、前記対辺（Ｘ）に対して所定の角度で構成されており、
前記対辺（Ｘ）と直交する前記湾曲部から前記対辺（Ｘ）までの最大長さである前記舌のリフティング部の深さ（Ｙ）について、前記対辺（Ｘ）の長さに対する深さ（Ｙ）の比率は、１／４から１／２までの間であることを特徴とする舌の持上げ推進具。
【請求項２】
前記湾曲部の幅は、前記本体部の幅より大きいことを特徴とする請求項１に記載の舌の持上げ推進具。
【請求項３】
ハンドルと、舌のリフティング部と、接続部と、を備える舌の持上げ推進具であって、
前記ハンドルは、ハンドル端部を有する本体部を含み、
前記舌のリフティング部は、前記ハンドル端部から形成された第１端部、及び第２端部を有する湾曲部を含み、
前記接続部は、前記本体部の前記ハンドル端部で形成された第１端部、及び、前記舌のリフティング部の第１端部に一体的に接合された第２端部を有する接続部材を含み、
前記舌のリフティング部は、均一な厚さを有する板状ストリップで形成されており、
前記接続部材は、前記舌のリフティング部の湾曲方向と反対の方向へ向いて湾曲することを特徴とする舌の持上げ推進具。
【請求項４】
前記湾曲部の幅は、前記本体部の幅より大きいことを特徴とする請求項３に記載の舌の持上げ推進具。
【請求項５】
前記接続部材の曲がった長さは、前記湾曲部の三分の一の曲がった長さより短いことを特徴とする請求項３に記載の舌の持上げ推進具。
【請求項６】
前記接続部を構成するレールは、二つの対向する細長い突起部と溝部材とを含み、
前記溝部材は、前記レールに相補的な溝形状を含み、
前記突起部は、前記本体部の第一端部で形成され、前記溝は、前記湾曲部で形成され、
前記突起部は、突起要素として形成され、
前記溝は、前記突起要素に相補的であり細長い形状の凹状要素として形成され、
前記突起要素は、前記凹状要素に挿入されて接続要素を形成するように構成されることを特徴とする請求項１又は請求項３に記載の舌の持上げ推進具。
【請求項７】
更に第１側面と、第２側面と、少なくとも１つのリブと、を備え、
前記湾曲部の第１側面は、凹面が設けられ、前記リブは、前記舌の持上げ推進具の前記第２側面に配置されることを特徴とする請求項１又は請求項３に記載の舌の持上げ推進具。
【請求項８】
前記所定の角度は、６０度から２１０度の間であることを特徴とする請求項１又は請求項１５に記載の舌の持上げ推進具。
【請求項９】
対辺（Ｘ）は、前記湾曲部の前記第１端部と前記第２端部とを接続することによって定義され、
前記対辺（Ｘ）と直交する前記湾曲部から前記対辺（Ｘ）までの最大長さである前記舌のリフティング部の深さ（Ｙ）について、前記対辺（Ｘ）の長さに対する深さ（Ｙ）の比率は、１／４から１／２までの間であることを特徴とする請求項３に記載の舌の持上げ推進具。
【請求項１０】
前記舌のリフティング部の前記第２端部に隣接して傾斜した肩部によって形成される前記湾曲部の拡大部の幅は、前記舌のリフティング部の前記湾曲部の幅よりも広いことを特徴とする請求項１又は請求項３に記載の舌の持上げ推進具。
【請求項１１】
複数の突起部は、前記舌のリフティング部の前記湾曲部の前記拡大部の帯状の表面に形成されていることを特徴とする請求項１０に記載の舌の持上げ推進具。
【請求項１２】
前記湾曲部の上部の幅は、本体部の幅より狭く、当該幅の狭い部分は、傾斜した肩部によって前記舌のリフティング部の前記湾曲部に接続されていることを特徴とする請求項１又は請求項３に記載の舌の持上げ推進具。
【請求項１３】
前記湾曲部は、複数の突起部を含むことを特徴とする請求項１又は請求項３に記載の舌の持上げ推進具。
【請求項１４】
ハンドルと、舌のリフティング部と、を備え、前記舌のリフティング部は、湾曲部を含む舌の持上げ推進具の操作方法であって、
ハンドルを保持して、前記舌のリフティング部の前記湾曲部を対象者の口に舌の後部の基部に達するまで挿入するステップと、
前記湾曲部の前端部で舌の後端部を引っ掛けて、舌を持ち上げ、前記ハンドルを口から離れる方向に引っ張って、前記舌のリフティング部の前記湾曲部が、舌に力を加えるステップと、
前記舌のリフティング部で舌を引っ張って、舌の上面に沿って前方に移動させるステップと、
を含むことを特徴とする舌の持上げ推進具の操作方法。
【請求項１５】
対辺（Ｘ）は、前記湾曲部の前記第１端部と前記第２端部とを接続することによって定義され、
前記本体部は、前記対辺（Ｘ）に対して所定の角度で構成されることを特徴とする請求項３に記載の舌の持上げ推進具。
【請求項１６】
前記舌のリフティング部は、円形の円弧であり、前記対辺（Ｘ）の長さは、円形の半径長さより短いことを特徴とする請求項１または請求項９に記載の舌の持上げ推進具。
【請求項１７】
前記舌のリフティング部は、楕円形の円弧であり、前記対辺（Ｘ）の長さは、楕円形の長軸半径の長さより短いことを特徴とする請求項１または請求項９に記載の舌の持上げ推進具。
【請求項１８】
対象者として幼児、子供、大人に使用される前記対辺（Ｘ）の長さは、それぞれ５−７ｃｍ、７−９ｃｍ及び９−１３ｃｍであることを特徴とする請求項１または請求項９に記載の舌の持上げ推進具。
【発明の詳細な説明】
【技術分野】
【０００１】
本発明は、医療装置に関し、特に、舌を前方に移動させ、舌を持ち上げて、上気道管理のための咽喉頭腔を開くことができる舌の持上げ推進具（tongue anteriorizer）、及び、その操作方法に関する。
【背景技術】
【０００２】
気管内挿管は、気管内チューブを気管内に挿入するプロセスである。これは、全身麻酔および呼吸蘇生の最も重要な手順である。しかしながら、口腔解剖学の相違で、気管内挿管は難しくなり、「挿管困難」となる。それが起こると、気道に損傷を与える可能性がある。挿管が完全に失敗すると、患者は、危険な状況に陥る。
【０００３】
気管内挿管ための医療機器は、４つのグループがある、すなわち、喉頭鏡、ビデオ喉頭鏡、ビデオスタイレット、および光ファイバースコープである。
【０００４】
喉頭鏡は、気管内挿管に使用される最も一般的な装置である。喉頭鏡を口に挿入した後、顎関節（ＴＭＪ）と咽喉頭腔を開くために、舌と下顎を約４５度の角度で前方に押す。しかしながら、この方法は、口腔内の開放空間が小さいため、小さな顎、大きな舌、肥満の患者において使いやすくなく、喉頭鏡が効率的に作業するのに十分なスペースを持つことは容易ではない。経験豊富な医師にとって、気管内挿管の成功率は約９０〜９５％である。さらに、気管内挿管の失敗は、口の組織を傷つける可能性があり、または患者の命を脅かす可能性もある。
【０００５】
ビデオ喉頭鏡は、ビデオカメラを追加することにより、喉頭鏡を改善する。視認性は向上するが、喉頭鏡の問題は解決しない。
【０００６】
ビデオスタイレットは、気管内チューブの内部にあり、ビデオ画像によって前方に案内される。スペースを開く機能を持っていないため、口の分泌物が、それを見るのを非常に困難にさせる。ビデオスタイレットを前方に押すと、舌を一緒に動かすことがあるため、喉頭の正常な解剖学的構造を変えることができる。これが起こると、方向を見失いやすく、挿管が失敗する。
【０００７】
光ファイバースコープの直径は小さく、吸引機能を備えている。光ファイバースコープの成功率は、すべての挿管器具の中で最も優れているが、ファイバースコープを使用する学習期間が長くて、時間もかかる。即ち、多くの場合に、手順を完了するために複数回試みることになる。また、それは高価であり、容易に損傷する。
以上のような挿管器具から生じるすべての問題は、口腔気道を適切に開くことができない。従って、改良の必要性は依然として存在する。
なお、挿管器具として、例えば特許文献１のものが開示されている。
【先行技術文献】
【特許文献】
【０００８】
【特許文献１】特開２０１３−５６１４１号公報
【発明の開示】
【課題を解決するための手段】
【０００９】
したがって、本発明の第１目的は、舌の持上げ推進具（tongue anteriorizer）を提供することにある。この舌の持上げ推進具は、ハンドルと、舌のリフティング部（tongue lifting part）と、を備える。ハンドルは、ハンドル端部を有する本体部を含む。舌のリフティング部は、ハンドル端部から形成された第１端部、及び第２端部を有する湾曲部を含む。
【００１０】
本発明の一つの実施形態によれば、舌のリフティング部は、均一な厚さを有する板状ストリップで形成される。
【００１１】
本発明の一つの実施形態によれば、湾曲部の幅は、本体部の幅より大きい。
【００１２】
本発明の一つの実施形態によれば、更に接続部が設けられる。接続部は、本体部のハンドル端部で形成された第一端部、及び、舌のリフティング部の第１端部に一体的に接合された第二端部を有する接続部材を含む。
【００１３】
本発明の一つの実施形態によれば、ハンドルと舌のリフティング部と接続部は、操作のために把持されるよう一体的に形成される。
【００１４】
本発明の一つの実施形態によれば、湾曲部の幅は、接続部材の幅より大きい。
【００１５】
本発明の一つの実施形態によれば、接続部の幅は、本体部と湾曲部の幅より小さい。
【００１６】
本発明の一つの実施形態によれば、接続部材の曲がった長さは、湾曲部の三分の一の曲がった長さより短い。
【００１７】
本発明の一つの実施形態によれば、接続部を構成するレールは、二つの対向する細長い突起部と溝部材とを含む。溝部材は、レールに相補的な溝形状を含み、突起部は、本体部の第一端部で形成され、溝は、湾曲部で形成される。
【００１８】
本発明の一つの実施形態によれば、突起部は、突起要素として形成され、溝は、突起要素に相補的で細長い形状の凹状要素として形成される。それによって、突起要素は、凹状要素に挿入されて接続要素を形成するように構成される。
【００１９】
本発明の一つの実施形態によれば、接続部材は、舌のリフティング部の湾曲方向と反対の方向へ向いて湾曲する。
【００２０】
本発明の一つの実施形態によれば、舌の持上げ推進具は、更に第１側面と、第２側面と、少なくとも１つのリブとを備える。湾曲部の第１側面は、凹面が設けられ、しかも構造の強度を向上のために、リブは、舌の持上げ推進具の第２側面に配置される。
【００２１】
本発明の一つの実施形態によれば、対辺（Ｘ）は、湾曲部の第１端部と第２端部とを接続することによって定義される。本体部は、対辺（Ｘ）に対して所定の角度で構成されており、しかも所定の角度は、６０度から２１０度の間である。
【００２２】
本発明の一つの実施形態によれば、対辺（Ｘ）と直交する湾曲部から対辺（Ｘ）までの最大長さである舌のリフティング部の深さ（Ｙ）について、対辺（Ｘ）の長さに対する深さ（Ｙ）の比率は、１／４から１／２までの間である。
【００２３】
本発明の一つの実施形態によれば、舌のリフティング部の第２端部に隣接して傾斜した肩部によって形成される湾曲部の拡大部の幅は、舌のリフティング部の湾曲部の幅よりも広い。
【００２４】
本発明の一つの実施形態によれば、複数の突起部は、舌のリフティング部の湾曲部の拡大部の長い帯状の表面に形成されている。
【００２５】
本発明の一つの実施形態によれば、湾曲部の上部の幅は、本体部の幅より狭く、当該幅の狭い部分は、傾斜した肩部によって舌のリフティング部の湾曲部に接続されている。
【００２６】
本発明の一つの実施形態によれば、湾曲部は、複数の突起部を含む。
【００２７】
本発明の第２の目的は、ハンドルと、舌のリフティング部と、を備え、舌のリフティング部は、湾曲部を含む舌の持上げ推進具の操作方法を提供することにある。
この舌の持上げ推進具の操作方法は、下記のステップを含む。
（１）ハンドルを保持して、舌のリフティング部の湾曲部を対象者の口に舌の後部の基部に達するまで挿入するステップ
（２）湾曲部の前端部で舌の後端部を引っ掛けて、舌を持ち上げ、ハンドルを口から離れる方向に引っ張って、舌のリフティング部の湾曲部が、舌に力を加えるステップ
（３）舌のリフティング部で舌を引っ張って舌の上面に沿って前方に移動させるステップ
【図面の簡単な説明】
【００２８】
【図１】本発明の第１の好ましい実施形態による舌の持上げ推進具の斜視図である。
【図２】本発明の舌の持上げ推進具の側面図である。
【図３Ａ】本発明の第１の好ましい実施形態による第１の態様である１８０度の所定の形状の舌の持上げ推進具の側面図である。
【図３Ｂ】本発明の第１の好ましい実施形態による第２の態様である２１０度の所定の形状の舌の持上げ推進具の側面図である。
【図３Ｃ】本発明の第１の好ましい実施形態による第３の態様である１５０度の所定の形状の舌の持上げ推進具の側面図である。
【図３Ｄ】本発明の第１の好ましい実施形態による第４の態様である１３５度の所定の形状の舌の持上げ推進具の側面図である。
【図３Ｅ】本発明の第１の好ましい実施形態による第５の態様である１２０度の所定の形状の舌の持上げ推進具の側面図である。
【図３Ｆ】本発明の第１の好ましい実施形態による第３の態様である９０度の所定の形状の舌の持上げ推進具の側面図である。
【図４Ａ】図３Ａに示す舌の持上げ推進具を対象者の舌の後部の基部に挿入するステップ（１）を示す側面図である。
【図４Ｂ】同上のステップ（２）を示す側面図である。
【図４Ｃ】同上のステップ（３）を示す側面図である。
【図４Ｄ】同上のステップ（４）を示す側面図である。
【図４Ｅ】同上のステップ（５）を示す側面図である。
【図５】図３Ｂに示す舌の持上げ推進具を対象者の口腔に挿入した状態を示す側面図である。
【図６】図５と同様に６０度の形状の舌の持上げ推進具を挿入した状態を示す側面図である。
【図７Ａ】図３Ｆに示す舌の持上げ推進具を対象者の口腔に挿入するステップ（１）を示す側面図である。
【図７Ｂ】同上のステップ（２）を示す側面図である。
【図７Ｃ】同上のステップ（３）を示す側面図である。
【図８】本発明の第２の好ましい実施形態による舌の持上げ推進具の斜視図である。
【図９】図８に示す舌の持上げ推進具の第２の構成の斜視図である。
【図１０】本発明の第３の好ましい実施形態に係る舌の持上げ推進具の斜視を示す分解斜視図である。
【図１１】図１０に示す舌の持上げ推進具の組合せ状態の斜視図である。
【図１２】本発明の第４の好ましい実施形態による舌の持上げ推進具の第１の構成を示す斜視図である。
【図１３】図１２にある舌の持上げ推進具の第２の構成を示す斜視図である。
【図１４】本発明の第５の実施形態に係る舌の持上げ推進具の斜視図である。
【図１５】本発明の第６の実施形態に係る舌の持上げ推進具の斜視図である。
【図１６】本発明の第７の実施形態に係る舌の持上げ推進具の斜視図である。
【図１７】本発明の第８の実施形態に係る舌の持上げ推進具の斜視図である。
【発明を実施するための形態】
【００２９】
（第１の実施形態）
図１に示すように、本発明による舌の持上げ推進具（tongue anteriorizer）は、ハンドル１０と、接続部２０と、舌のリフティング部（tongue lifting part）３０を含む。以下に詳細に説明する。
【００３０】
ハンドル１０は、本体部１１と、本体部１１に実質的に平行な延長部１３と、本体部１１及び延長部１３を相互接続する曲げられた相互接続部１２とを含む。
実際には、ハンドル１０の本体部１１の長さは、おおよそ手持ちの手のひらの長さである。接続部２０は、湾曲した接続部材２１を含み、湾曲した接続部材２１は、本体部１１のハンドル端部１１１で形成された端部２１１と舌のリフティング部３０の湾曲部３１で形成された他の端部２１２を有する。舌のリフティング部３０の湾曲部３１は、均一な厚さを有する板状のストリップからなることが理解される。舌のリフティング部３０の湾曲部３１は、第１端部３１１と第２端部３１２とを有し、しかも第２端部３１２は、開いている。
図２に示すように、第１端部３１１（２１２）は、湾曲部３１の２つ曲線と湾曲した接続部材２１とのコンバージョンポイントである。第１端部３１１（２１２）の処は、すべての図に実質的に存在することも理解されたい。更に、湾曲部３１は、２つの実質的に平行な縁部３１６（図１参照する）で定義された幅を有する。
【００３１】
ハンドル１０は、他の実施形態では、図示されたものとは異なる形状にすることができる。接続部２０の湾曲した接続部材２１は、図３Ａから図３Ｅまでに示すように、湾曲形状に成形するのではなく、直線状に成形することもできる（図３Ｆを参照）。あるいは、実際の要求に応じて、他の実施形態では、湾曲した接続部材２１を曲線または直線以外の形状にすることができる。舌のリフティング部３０は、所定の形状に曲げることによって長いストリップの平板状素材から作られる。すなわち、長い寸法３１０に沿ってのみ曲げられる（図２を参照）。更に、湾曲部３１は、長い寸法３１０と短い寸法３１６から作られており、長い寸法３１０は、湾曲して湾曲部３１を形成し、短い寸法３１６は、実質的に真っ直ぐとなる。
対辺（Ｘ）は、湾曲部３１の第１端部３１１と第２端部３１２とを接合することによって定義され、しかも、本体部１１のまっすぐのハンドル端部１１１と角度関係を形成する。図３Ａ〜３Ｆと図５、図６に示すように、それぞれ６０度から２１０度までの範囲の角度を定義する。
【００３２】
対辺（Ｘ）から湾曲部３１までの最大距離は、一点鎖線で示される深さ（Ｙ）である。舌のリフティング部３０の湾曲部３１は、円形の円弧または楕円形の楕円弧であり、湾曲部３１の長さは、半円形の円弧または半楕円形の楕円弧の長さより短い。即ち、対辺（Ｘ）の長さは、円形の半径長さ或いは楕円形の長軸半径の長さより短い。
【００３３】
好ましくは、対辺（Ｘ）の長さに対する深さ（Ｙ）の比率は、１／４から１／２までである。例えば、幼児、子供、大人に使用される対辺（Ｘ）の長さは、それぞれ約５−７ｃｍ、７−９ｃｍ及び９−１３ｃｍである。
【００３４】
図３Ａ〜３Ｆと図４Ａ〜４Ｅに示すように、接続部２０は、湾曲しており、湾曲した接続部材２１は、所定の角度で構成されている。舌の持上げ推進具は、対辺（Ｘ）に対応する任意の他の所定の角度でそれぞれ成形するように構成されてもよい。
本発明の舌の持上げ推進具の第１の好ましい実施形態の第１の構成の操作を以下に詳細に説明する。操作者は、一方の手でハンドル１０の本体部１１を持って、第２端部３１２が舌（Ｐ１）の後部の基部に達するまで舌のリフティング部３０の湾曲部３１を対象者（Ｐ）の口に挿入することができる（図４Ａを参照）。
操作者は、舌（Ｐ１）を前方に動かすことができる。更に、舌（Ｐ１）を持ち上げる前に、舌（Ｐ１）の後部が、湾曲部３１の第２端部３１２で引っ掛けられる（図を４Ｂ参照）。
次に、操作者は、ハンドル１０の本体部１１を口から出る方向に引っ張って、それによって、舌のリフティング部３０の湾曲部３１が舌部（Ｐ１）に力を加えることができる（図４Ｃ〜図４Ｄを参照）。
これにより、舌部（Ｐ１）を舌のリフティング部３０の湾曲部３１によって引っ張って舌部（Ｐ１）の上面に沿って前方に移動させることができる。その結果、咽喉頭腔が開放され、それにより内視鏡（Ａ）が口に容易に挿入され、しかも内視鏡（Ａ）の端部２０１が正しい位置に自然に位置決めされる。
【００３５】
内視鏡または気管内挿管の挿入が成功したか否かにかかわらず、舌を前方に動かして、それを正しく持ち上げることに依存する。舌のリフティング部３０の湾曲部３１のサイズ及び形状は、人間工学及び舌（Ｐ１）の筋肉の自然な動きを考えてから慎重に計算されている。従って、本発明の舌の持上げ推進具は、設計上に有効であり、その装置を人間工学的なものにする。
【００３６】
また、図４Ａ〜図４Ｅと図７Ａ〜図７Ｃに示すように、舌のリフティング部３０の湾曲部３１は、ほぼ均一な厚さを有する２つの平行な縁部３１６である。口に挿入して舌の後部の基部に達して舌を引っ張ると、対象者に何らかの痛みを感じなく、舌の動く筋肉の自然な傾向に応じて非常に便利に舌を引き出すことができる。舌のリフティング部３０の設計特徴は、装置を人間工学的なものにする。
【００３７】
図３Ｆ、図６、図７Ａ〜図７Ｃに、本発明の第１の好ましい実施形態の第２の構成の舌の持上げ推進具が示されている。第１の好ましい実施形態の構成には、湾曲した接続部材２１は、直線部から作られて、この構成では、湾曲した接続部材２１の直線部は、直接にハンドル１０の本体部１１に接続されて、しかも湾曲部３１の第１端部３１１は、直接に湾曲した接続部材２１に接続されている。湾曲部３１は、実質的に第１端部３１１が直接にハンドル１０の本体部１１に接続されていることと同等であって、しかも対向する第２端部３１２とが開いている。
図３Ｆに示すように、第１端部３１１（２１２）は、湾曲部と湾曲した接続部材２１の直線部とのコンバージョンポイントである。湾曲した接続部材２１の直線部は、上述したように、対辺（Ｘ）に対して所定の角度関係を提供するように構成することもできる。本発明の舌の持上げ推進具に係る第１の好ましい実施形態の第２構成の操作は、上述した第１の構成と実質的に同じである。したがって、それらの詳細な説明は、簡潔に省略されている。
【００３８】
（第２の実施形態）
図８に、本発明の第２の好ましい実施形態の舌の持上げ推進具が示されている。第２の好ましい実施形態の特徴は、以下の点を除き、第１の実施形態の特徴とほぼ同様である。リブ４０は、舌の持上げ推進具の剛性を高めるために舌の持上げ推進具の後部の中間部分に形成される。
【００３９】
図９に、本発明の第２の好ましい実施形態の第２の構成の舌の持上げ推進具が示されている。第２の好ましい実施形態の第２の構成の特徴は、以下の点を除き、第１の実施形態の特徴とほぼ同様である。２つのリブ４０、４０は、舌の持上げ推進具の剛性を高めるために、舌の持上げ推進具の後部の両側に形成される。
【００４０】
（第３の実施形態）
図１０、図１１に、本発明の第３の好ましい実施形態の舌の持上げ推進具が示されている。第３の好ましい実施形態の特徴は、以下の点を除き、第１の実施形態の特徴とほぼ同様である。接合部は、接続部２０Ａの接続部材に形成される。接合部は、レール２２１Ａと溝部材２２２Ａを含み、レール２２１Ａは、ハンドル１０の本体部１１と形成され、しかも二つの対向する細長い突起部を有する。溝部材２２２Ａは、舌のリフティング部３０の湾曲部３１と形成され、しかも溝２３２Ａを有する。溝２３２Ａは、レール２３１Ａと相補的に形成され、それによって、レール２３１Ａは、摺動可能に溝２３２Ａに挿入され、ハンドル１０と舌のリフティング部３０を固定することができる。
【００４１】
（第４の実施形態）
図１２、図１３に、本発明の第４の好ましい実施形態の舌の持上げ推進具が示されている。第４の好ましい実施形態の特徴は、以下の点を除き、第１の実施形態の特徴とほぼ同様である。第１の構成では、二つの平坦な肩部３１４Ａは、接続部２０の湾曲した接続部材２１と舌のリフティング部３０Ａの湾曲部３１Ａとの間に形成され、それによって、舌のリフティング部３０Ａの湾曲部３１Ａの幅は、接続部２０の湾曲した接続部材２１の幅より大きい。第２の構成では、接続部２０の湾曲した接続部材２１と舌のリフティング部３０Ａの湾曲部３１Ａとの間に形成されている肩部３１４Ａは、二つの対向する傾斜した肩部である。
【００４２】
（第５の実施形態）
図１４に、本発明の第５の好ましい実施形態の舌の持上げ推進具が示されている。第５の好ましい実施形態の特徴は、以下の点を除き、第１の実施形態の特徴とほぼ同様である。複数の突起部３２Ｂは、舌のリフティング部３０Ｂの湾曲部３１Ｂの長いストリップの表面３１３Ｂに形成される。突起部３２Ｂは、舌のリフティング部３０Ｂが舌へ滑るのを防止することができる。
【００４３】
（第６の実施形態）
図１５に、本発明の第６の好ましい実施形態の舌の持上げ推進具が示されている。第６の好ましい実施形態の特徴は、以下の点を除き、第１の実施形態の特徴とほぼ同様である。複数の突起部３２Ｃは、第２端部３１２に隣接する舌のリフティング部３０Ｃの湾曲部３１Ｃの拡大部３３Ｃの長いストリップの表面３３０Ｃに形成される。二つの対向する傾斜した肩部は、拡大部３３Ｃと舌のリフティング部３０Ｃの湾曲部３１Ｃとの間に形成される。
【００４４】
（第７の実施形態）
図１６に、本発明の第７の好ましい実施形態の舌の持上げ推進具が示されている。第７の好ましい実施形態の特徴は、以下の点を除き、第６の実施形態の特徴とほぼ同様である。ハンドル１０Ｄ、接続部２０Ｄ、舌のリフティング部３０Ｄは、複数の狭い幅部によって形成される。、幅広部１１Ｄと幅狭部は、ハンドル１０Ｄに形成され、、幅狭部２１Ｄは、接続部２０Ｄに形成され、上部幅狭部３１Ｄと下部幅広部３３Ｃは、舌のリフティング部３０Ｄの湾曲部３１Ｂに形成される。それによって、舌のリフティング部３０Ｄの上部幅狭部３１Ｄの幅及び接続部２０Ｄの幅狭部２１Ｄの幅は、上記実施形態の幅よりも狭くなる。本発明の舌の持上げ推進具を操作するための狭幅部の僅かな可撓変形の最適値は、特定の対象者に対して提供される。
【００４５】
（第８の実施形態）
図１７に、本発明の第８の好ましい実施形態の舌の持上げ推進具が示されている。第８の好ましい実施形態の特徴は、以下の点を除き、第１の実施形態の特徴とほぼ同様である。舌のリフティング部３０Ｅの湾曲部３１Ｅは、幅狭部３１５Ｅと幅狭部３１５Ｅに隣接する幅広部３１Ｅで形成される。二つの傾斜した肩部３１４Ｅは、幅狭部３１５Ｅと舌のリフティング部３０Ｅの湾曲部３１２の幅広部３１Ｅとの間に形成されている。人間工学を考えて、接続部２０と舌のリフティング部３０Ｅとの両方の僅かな可撓性変形の最適値が慎重に算出されている。
【００４６】
本発明では、舌、特にその基部を前に動かして持ち上げることができれば、挿管するのは困難とならない。舌の持上げ推進具は、舌を前に動かし、咽喉頭領域を開き、気管内挿管をすべて簡単、安全、容易かつ効率的にすることができる。
【００４７】
更に、本発明は、舌の持上げ推進具の操作方法を提供する。舌の持上げ推進具は、ハンドルと、舌のリフティング部を含み、舌のリフティング部は、湾曲部を含む。
舌の持上げ推進具の操作方法は、下記のステップを有する。
（１）ハンドルを保持して、舌のリフティング部の湾曲部を対象者の口に舌の後部の基部に達するまで挿入するステップ
（２）湾曲部の前端部で舌の後端部を引っ掛けて、舌を持ち上げ、ハンドルを口から離れる方向に引っ張って、舌のリフティング部の湾曲部が、舌に力を加えるステップ
（３）舌のリフティング部で舌を引っ張って、舌の上面に沿って前方に移動させるステップ
【００４８】
上述したのは、本発明の好ましい実施形態であって、本発明は、上記実施形態において説明したものに限定されるものではなく、かつ発明の要旨を逸脱しない範囲内において種々の設計変更、補正等価的に置き換えることが可能であることは当然のことである。
【符号の説明】
【００４９】
１０      ハンドル
１１      本体部
１１Ｄ    幅広部
１１１    ハンドル端部
１２      曲げられた相互接続部
１３      延長部
２０      接続部
２０Ａ    接続部
２１      湾曲した接続部材
２１Ｄ    幅狭部
２１１    端部
２１２    他の端部
２２１Ａ  レール
２２２Ａ  溝部材
２３２Ａ  溝
３０      舌のリフティング部（tongue lifting part）
３０Ａ    舌のリフティング部（tongue lifting part）
３０Ｂ    舌のリフティング部（tongue lifting part）
３１３Ｂ  長いストリップの表面
３１      湾曲部
３１Ａ    湾曲部
３１Ｂ    湾曲部
３１Ｄ    上部幅狭部
３１０    長い寸法
３１１    第１端部
３１２    第２端部
３１４Ａ  平坦な肩部
３１４Ｅ  傾斜した肩部
３１５Ｅ  幅狭部
３１６    縁部、短い寸法
３２Ｂ    突起部
３２Ｃ    突起部
３３Ｃ    下部幅広部
４０      リブ
【図１】
2018518305.tif 000003
【図２】
2018518305.tif 000004
【図３Ａ】
2018518305.tif 000005
【図３Ｂ】
2018518305.tif 000006
【図３Ｃ】
2018518305.tif 000007
【図３Ｄ】
2018518305.tif 000008
【図３Ｅ】
2018518305.tif 000009
【図３Ｆ】
2018518305.tif 000010
【図４Ａ】
2018518305.tif 000011
【図４Ｂ】
2018518305.tif 000012
【図４Ｃ】
2018518305.tif 000013
【図４Ｄ】
2018518305.tif 000014
【図４Ｅ】
2018518305.tif 000015
【図５】
2018518305.tif 000016
【図６】
2018518305.tif 000017
【図７Ａ】
2018518305.tif 000018
【図７Ｂ】
2018518305.tif 000019
【図７Ｃ】
2018518305.tif 000020
【図８】
2018518305.tif 000021
【図９】
2018518305.tif 000022
【図１０】
2018518305.tif 000023
【図１１】
2018518305.tif 000024
【図１２】
2018518305.tif 000025
【図１３】
2018518305.tif 000026
【図１４】
2018518305.tif 000027
【図１５】
2018518305.tif 000028
【図１６】
2018518305.tif 000029
【図１７】
2018518305.tif 000030
【国際調査報告】
2018518305.tif 000031